(57)【要約】      （修正有）【課題】寝床に入ってストレスのない良い環境下で望ましい書画練習を嗜むことができるようにした書画用品を提供する。【解決手段】下着や寝間着を含む下半身装身着の生地裏面に対し文字あるいは絵図などの書画１３を書き入れ可能な筆記具１２を備える書画用品であって、筆記具１２は、寝床や畳・床板などの床上に仰向け姿勢になった際にその人の装身着の前見頃５内に入れられて同前身頃５裏面に対して把持状態での適宜動きにより文字あるいは絵図などの書画１３を書き入れ表現可能に構成されたものである。【選択図】図２
0003223419.tif 000002
【実用新案登録請求の範囲】
【請求項１】
下着や寝間着を含む下半身装身着の生地裏面に対し文字あるいは絵図などを書き入れ可能な筆記具を備える書画用品であって、筆記具は、寝床や畳・床板などの床上に仰向け姿勢になった際にその人の装身着の前見頃内に入れられて同前身頃裏面に対して把持状態での適宜動きにより文字あるいは絵図などを書き入れ表現可能に構成されたものである書画用品。
【請求項２】
請求項１に記載の書画用品において、下半身装身着の前見頃部分はその他の本体部分に対し脱着交換自在に構成されている書画用品
【考案の詳細な説明】
【技術分野】
【０００１】  本考案は、書画用品に関する。
【背景技術】
【０００２】  文字の書き方を練習するには、椅子などに座り筆やペンでもって机上に置いた紙に書いて行うのが一般的である。
【先行技術文献】
【特許文献】
【０００３】
【特許文献１】
【考案の概要】
【考案が解決しようとする課題】
【０００４】  従来のこうした練習は、起き上がった平時の座った姿勢で行われるのが通例であり、その他の姿勢のときに行われるものではなく、例えば、寝床で心安らかになったときに練習できるようにすればそれなりにストレスのない良い環境下で望む結果の書画が得られるのではないかと考えている。【０００５】  本考案は、こうした問題を解決しようとするものであり、寝床に入ってストレスのない良い環境下で望ましい書画練習を嗜むことができるようにした書画用品を提供することを目的とする。
【課題を解決するための手段】
【０００６】  本考案は上記目的を達成するため、請求項１に記載の考案は、下着や寝間着を含む下半身装身着の生地裏面に対し文字あるいは絵図などを書き入れ可能な筆記具を備える書画用品であって、筆記具は、寝床や畳・床板などの床上に仰向け姿勢になった際にその人の装身着の前見頃内に入れられて同前身頃裏面に対して把持状態での適宜動きにより文字あるいは絵図などを書き入れ表現可能に構成されたものである。
請求項２記載の考案は、請求項１に記載の書画用品において、下半身装身着の前見頃部分はその他の本体部分に対し脱着交換自在に構成されている。
【考案の効果】
【０００７】  上述したように請求項１に記載の考案は、下着や寝間着を含む下半身装身着の生地裏面に対し文字あるいは絵図などを書き入れ可能な筆記具を備える書画用品であって、筆記具は、寝床や畳・床板などの床上に仰向け姿勢になった際にその人の装身着の前見頃内に入れられて同前身頃裏面に対して把持状態での適宜動きにより文字あるいは絵図などを書き入れ表現可能に構成されたものであるので、寝床に入ってストレスのない良い環境下で望ましい書画練習を嗜むことができるようにした書画用品を提供することができる。
【図面の簡単な説明】
【０００８】
【図１】  本考案の一実施形態である寝床での実施状態図を示す斜視図。
【図２】  その一実施態様を示す透視説明図。
【図３】  他の実施形態を示す側面図。
【図４】  他の実施形態を示す側面図。
【図５】  他の実施形態を示す側面図。
【図６】  他の実施形態を示す側面図。
【考案を実施するための形態】
【０００９】  以下、本考案である書画用品の一実施形態を図１および図２に基づいて説明する。
これらの図において、１は敷布団（敷布や敷毛布などを含むことがある）、２は書画を練習する本人で、敷布団１の上に掛け布団（図示省略）などを掛けて就寝する。図では掛け布団は省略されている。本人２は上半身下着（図示省略）の他に下半身下着４を身に着けており、この下半身下着４は所謂パンツ（あるいは褌でもよい）で一般的なものである。５は下半身下着４の前見頃である。上寝間着は図示省略されている。７は下寝間着（パジャマなど）である。下半身下着４や下寝間着７はここで下半身装身着とされている。
【００１０】  １０は前見頃５の中央対象範囲であり、その範囲１０が書画の書き入れ（練習）範囲に想定されている。１２は該範囲１０の裏面に文字や絵図などの書画１３を書き入れるための筆記具（書画用品）であり、この筆記具１２は、所要のインクなどが入れられる直径１．５ないし２ｃｍ前後の円筒状本体１５とその先端コーン部１６とを有するとともに、内部から先端にかけては浸潤芯材１７が挿通されて先部１８からインクが出されるようになっている。
このインクは、一旦下半身下着４の前見頃５に書き入れられると洗濯をしないと取れないタイプのものと、例えば、書き入れると一定時間（７２時間程度）が経てば表現したものが自然に消えるマーカーのようなタイプ（例えば、（株）たくみの「自然に消えるマーカー」（商品名））のものとがある。勿論筆記具１２にはワンタッチで脱着できるキャップ１９が付されている。
【００１１】  図１のように敷布団１の上に実際に本人２が仰向けになるときには、図１のような下半身下着４と下寝間着７だけになるのでなく、前記したように上半身下着とか上寝間着を装着しているものであるが、ここでは簡易化のため下半身下着４と下寝間着７のみを装着している様子を示している。このとき、本人２は「令和」なる書画１３を筆記具１２を手指で把持して動かせることにより前見頃の中央対象範囲裏面に書き記して練習するのであり、その一例として、図２に示すように、親指ａを筆記具１２の左下周りから出す一方そのたの人差し指ｂから小指ｅを右周りにして握るようにして筆記具１２を立ち上がらせ先部１８を上向きにして中央対象範囲１０に文字を書き入れてゆくようにする。その際、親指ａは図２の左下欄のように筆記具１２の手前に押し当てるようにすることもある。書き入れられた文字１３などは下半身下着４の次の洗濯時に洗い去られる。また、一定時間経過とともに消えてしまう場合もある。
【００１２】  図３のように筆記具１２を曲げた人差し指ｂと中指ｃ間に挟みつつ親指ａで側方から押さえ込むことで縦向きに安定保持して書き入れるようにしたり、図４のように筆記具１２を中指ｃと薬指ｄ間に挟みつつ親指ａで筆記具１２を押さえ付けることで縦斜め向きに安定保持して書き入れを行うようにしてもよい。また、図５のように筆記具１２を裏側の人差し指ｂ・中指ｃ・薬指ｄで受ける一方手前を親指ａと小指ｅで挟み付けるようにして斜め縦向きに安定保持して書き入れるようにしたり、あるいは図６のように筆記具１２を中指ｃ・薬指ｄ・人差し指ｅの３本の指で裏側から抱え持ち表側からは親指ａや人差し指ｂの２本の指で挟み持つようにして安定保持して書き入れるようにすることもできる。
【符号の説明】
【００１３】  １…敷布団  ２…本人  ４，７…下半身装身着  ５…前身頃  １０…中央対象範囲  １２…筆記具  １３…書画。
【図１】
0003223419.tif 000003
【図２】
0003223419.tif 000004
【図３】
0003223419.tif 000005
【図４】
0003223419.tif 000006
【図５】
0003223419.tif 000007
【図６】
0003223419.tif 000008